(57)【要約】【課題】ＬＳＩ等の電子部品が再利用部品であるか否かを、簡単な構成で、かつ容易に識別することができる電子部品およびその製造方法を提供する。【解決手段】プリント基板にはんだ付けされた電子部品のリードフレームの表面に、少なくともはんだの溶融温度で不可逆的に変色する表示部材が被着されているように構成する。【選択図】　　　図１
2004128355.tif 000002
【特許請求の範囲】
【請求項１】
プリント基板にはんだ付けされた電子部品のリードフレームの表面に、少なくとも該はんだの溶融温度で不可逆的に変色する表示部材が被着されている
ことを特徴とする電子部品。
【請求項２】
請求項１記載の電子部品において、前記表示部材が、サーモペイントまたはサーモシールである
ことを特徴とする電子部品。
【請求項３】
電子部品をプリント基板にはんだで搭載する工程と、次いで該電子部品のリードフレームの表面を、少なくとも該はんだの溶融温度で不可逆的に変色する表示部材で被着する工程とを含む
ことを特徴とする電子部品の製造方法。
【発明の詳細な説明】
【０００１】
【発明の属する技術分野】
本発明は、ＬＳＩ等の高価な電子部品をプリント基板等から取り外して再利用することを防止するための電子部品およびその製造方法に関する。
【０００２】
【従来の技術】
ＬＳＩ等の電子部品は、一般的にははんだを使用してプリント基板等の基材に搭載して用いられており、廃却された基材に搭載された電子部品ははんだを溶融して取り外すことが可能である。取り外された電子部品の中でも、劣化のないものは再利用することが可能であるが、再利用する電子部品がＬＳＩ等である場合には劣化による誤動作を起こすこともあり、信頼性が保証されないものである。
【０００３】
このため、とくにＬＳＩ等の電子部品が再利用部品であるか否かを識別することができるようにすることが必要である。
電子部品の再利用を防止することを目的として、熱がかかると加熱前の状態に戻すことができない再使用防止粘着ラベルが開示されている。すなわち、シュリンクフィルムを有する基材の片面に粘着剤層を設けることにより、熱がかかると粘着ラベルが変形し、加熱前の元の状態に戻すことができず、シュリンクフィルムの一方の片面に印刷により設けた表示層も変形してしまい、その結果、再使用防止粘着ラベルは再使用することができない。
【０００４】
しかし、この粘着ラベルが収縮したか否かを肉眼で判断できるのは、パスポート、証紙、その他証明書や印鑑証明等に用いる文書、写真、印刷物、印影、絵画、図面等の改ざん防止用として用いる再使用防止粘着ラベルであり、かなりの表面積を持つことを必要とし、たとえばＬＳＩに貼り付けるのは困難であるという問題がある。（例えば、特許文献１参照。）。
【０００５】
また、ＩＣタグが物品に再装着されたタグか否かを的確に識別してＩＣタグの再装着による再利用を防止するＩＣタグ読取装置が開示されている。このＩＣタグ読取装置は、予めＩＣタグのタグ情報を読み取り、かつそのタグ情報と管理情報とを関連付けてＳＲＡＭ（ｓｔａｔｉｃ　ｒａｎｄｏｍ　ａｃｃｅｓｓ　ｍｅｍｏｒｙ）に登録しておくものである。
【０００６】
ＩＣタグの成否を監視する場合は、まずＩＣタグからの情報の読み取りが可能か否かを判断し、ＩＣタグが物品から引き剥がされ不正改ざんされてその物品に再装着されたような場合は、読み取り不可、または読み取ったタグ情報とＳＲＡＭに登録されたタグ情報とが不一致となる。この場合には、異常処理を実行して表示部に「タグ読取不能」または「タグ情報なし」を表示する。
【０００７】
一方、読み取ったタグ情報と登録情報とが一致すると、そのタグ情報に対応する管理情報をＳＲＡＭから読み出して表示部に表示する構成である。したがって、ＩＣタグが物品に再装着されたか否かを的確に識別することができるので、ＩＣタグの再装着による再利用を的確に防止できる。
しかし、読取装置でＩＣタグのタグ情報を読み取るとともにそのタグ情報と管理情報とを関連付けてＳＲＡＭに登録することが必要であり、構成が複雑になり、コストがかかるという問題がある。（例えば、特許文献２参照。）。
【０００８】
【特許文献１】
特開２０００−５６６８８号公報　（第２〜３頁、第２図）
【０００９】
【特許文献２】
特開２０００−３４８１４８号公報　（第２〜３頁、第１図）
【００１０】
【発明が解決しようとする課題】
本発明は、これらの課題を解決するために、ＬＳＩ等の電子部品が再利用部品であるか否かを、簡単な構成で、かつ容易に識別することができる電子部品およびその製造方法を提供することを目的とする。
【００１１】
【課題を解決するための手段】
上に述べた課題は、本発明の請求項１によれば、プリント基板にはんだ付けされた電子部品のリードフレームの表面に、少なくとも該はんだの溶融温度で不可逆的に変色する表示部材が被着されている電子部品とすることで達成される。
すなわち、はんだ付けされた電子部品のリードフレームの表面に、はんだの溶融温度で不可逆的に変色する表示部材が被着されている電子部品とすることで、電子部品にはんだの融点以上の温度が加わると、はんだの溶融温度で不可逆的に変色する表示部材が変色するので、リードフレームの表面の表示部材の色を見るだけで、電子部品にはんだの溶融温度がかかったか否かを判断することができる。
【００１２】
通常は、電子部品を搭載したプリント基板は、電源を入れて連続して実稼動した場合には、たとえば室温プラス２０〜３０℃の温度になっており、したがって一般的には到達温度は６０℃以下、最悪でも７０℃以下と考えられる。
現在の電子部品を搭載するのに使用されるはんだの融点は、鉛フリーの低融点はんだであってもたとえば１４０℃程度である。したがって、実装されている電子部品にかかる温度ははんだの融点を大きく下回る温度であることは間違いない。
【００１３】
このことから、実装されている電子部品のリードフレームの表面にはんだの溶融温度で不可逆的に変色する表示部材を被着しておけば、電子部品を取り外す以外には変色することはあり得ないといえる。
また、上に述べた課題は、本発明の請求項２によれば、請求項１記載の電子部品において、前記表示部材が、サーモペイントまたはサーモシールである電子部品とすることで達成される。
【００１４】
すなわち、はんだ付けされた電子部品のリードフレームの表面に、はんだの溶融温度で不可逆的に変色するサーモペイントまたはサーモシールが被着されている電子部品とすることで、電子部品にはんだの融点以上の温度が加わると、はんだの溶融温度で不可逆的に変色するサーモペイントまたはサーモシールが変色するので、はんだの表面に被着したサーモペイントまたはサーモシールの色を見るだけで、電子部品にはんだの溶融温度がかかったか否かを判断することができる。
【００１５】
【発明の実施の形態】
以下、実施例により本発明をさらに詳細に説明するが、本発明はこれらに限定されるものではない。
本発明は、電子部品に付加された温度を、印加温度によって不可逆的に変色する表示部材を利用して目視による認識で可能とし、再利用品であるか否かを簡単に判断できるようにするものである。
【００１６】
〔実施例〕
図１は、本発明による実施例を示す斜視図である。ここで、符号１は電子部品を、２はリードフレームを、３ははんだの溶融温度で不可逆的に変色する表示部材であるサーモペイントをそれぞれ示している。
ここでは電子部品の一例として、直方体のＬＳＩを示したが、形状はどのようなものでも良い。また、少なくともはんだ付けされた部分が直視可能な領域に表示部材であるサーモペイントを被着することで、印加された温度が変色する温度以上であれば初期の色と変化していることが容易に判断できる。
【００１７】
ここで用いたサーモペイントは、日油技研工業（株）製の不可逆性サーモペイントのＮＯ．１４０で、この変色温度は１４０℃であり、原色は青味緑をしており、変色後はうす紫となるものである。
まず、プリント基板にはんだ付けされた電子部品１の複数本のリードフレーム２の表面に、このサーモペイント３を被着して一昼夜放置した。
【００１８】
翌日の夕方に、サーモペイント３の色が青味緑であることを確認した後に常温下で電源を投入し、５００時間の連続稼動を実施した。そしてこの連続稼動の後に電源を切断して放置し、常温になってから取り出してサーモペイント３の色を確認したところ、リードフレーム２の表面に被着したサーモペイント３に変色は認められなかった。
【００１９】
続いて、通電せずに１２０℃の恒温槽に入れて放置し、１２０時間経過後に冷却し、常温になってから取り出してサーモペイントの色を確認したところ、リードフレーム２の表面に被着したサーモペイント３に変色は認められなかった。
続いて、１４０℃の恒温槽に入れて放置し、５０時間経過後に冷却し、常温になってから取り出してサーモペイントの色を確認したところ、リードフレーム２の表面に被着したサーモペイント３がうす紫に変色していた。
【００２０】
したがって、表示部材であるサーモペイントを被着しておくことによって、電子部品にかかった温度を、不可逆的な色の変化で判定することができた。
ここでは、はんだの融点が１４０℃であるためにこのサーモペイントを使用したが、たとえばはんだの融点が１３０℃の場合には、変色温度が１３０℃のＮＯ．１３０を用いれば良く、この場合は１３０℃で原色のうす赤紫から青紫に変色するので、はんだの融点以上の温度がかかったか否かを容易に判断できる。
【００２１】
また、サーモシール（ヒートラベルともいう）を用いてもよいが、この場合には現在のところ面積が大きいものが市場に出回っているにすぎず、たとえばミクロン株式会社のものは一番小さいものでも商品名ＳＲの４ｍｍ角である。したがって、ある程度の面積がある場合にはこのＳＲをリードフレームの表面に貼付しておけば、はんだの融点温度がかかった否かを目視することにより容易に判断することができる。
【００２２】
本発明では、表示部材を被着する場所を電子部品のはんだの表面に限定したが、これははんだ付けされたリードフレームから離れた電子部品の表面部に被着しておくと、ごく限られた部分の加熱で電子部品の取り外しが可能な場合があるので、変色させずに電子部品を取り外す可能性を否定できないためである。
【００２３】
【発明の効果】
以上説明したように、本発明によれば、プリント基板にはんだ付けされた電子部品のリードフレームの表面に、はんだの溶融温度で不可逆的に変色する表示部材を被着するだけで、電子部品にかかった温度を色の変化で識別することが可能となり、誤って再使用することを避けることができるという効果を生じ、製品の高信頼化に寄与するところが大きい。
【図面の簡単な説明】
【図１】本発明による実施例を示す斜視図。
【符号の説明】
１　電子部品
２　リードフレーム
３　はんだの溶融温度で不可逆的に変色する表示部材であるサーモペイント
【図１】
2004128355.tif 000003